(57)【要約】【課題】明るさの斑の発生を抑制する。【解決手段】パッシブマトリクス駆動方式であって、メモリ性の表示材料に対して複数の電極１２ａ，１３ａが平面視で格子状を構成して対向配置した、画像を表示する表示素子１１を備える表示装置１０が提供される。このような表示装置１０では、画像の階調データに応じたパルスを複数の一対の電極１２ａ，１３ａに印加する際に、表示材料の反射率が均一になるように、階調データに応じたパルス１２ｂのパルス幅を補正するようにした。これにより、表示装置１０では、明るさの斑の発生が抑制されて、画像の見易さが向上する。【選択図】図１
2013231851.tif 000002
【特許請求の範囲】
【請求項１】
パッシブマトリクス駆動方式の表示装置において、
メモリ性の表示材料に対して複数の一対の電極が平面視で格子状を構成して対向配置した、画像を表示する表示素子と、
前記画像の階調データに応じたパルスを前記複数の一対の電極に印加する際に、前記表示材料の反射率が均一になるように、前記階調データに応じたパルスのパルス幅を補正する駆動回路と、
を有することを特徴とする表示装置。
【請求項２】
前記駆動回路は、前記表示材料の反射率を、任意の反射率と等しくなるように、前記階調データに応じたパルスのパルス幅を補正する、
ことを特徴とする請求項１記載の表示装置。
【請求項３】
前記任意の反射率は、前記階調データに応じたパルスを印加した補正前の前記表示材料の最も明るい領域の反射率であり、前記階調データに応じたパルスのパルス幅を短くする、
ことを特徴とする請求項２記載の表示装置。
【請求項４】
前記任意の反射率は、前記表示材料の前記パルスが印加される側の前記一対の電極の端部により電圧が印加された領域の反射率である、
ことを特徴とする請求項２または３に記載の表示装置。
【請求項５】
パッシブマトリクス駆動方式の表示方法において、
メモリ性の表示材料に対して複数の一対の電極が平面視で格子状を構成して対向配置した、画像を表示する表示素子の前記複数の一対の電極に、前記画像の階調データに応じたパルスを印加する際に、前記表示材料の反射率が均一になるように、前記階調データに応じたパルスのパルス幅を補正する、
ことを特徴とする表示方法。
【発明の詳細な説明】
【技術分野】
【０００１】
本発明は、表示装置及び表示方法に関する。
【背景技術】
【０００２】
電子ペーパ端末、電子書籍端末、タブレット型のコンピュータ等の情報処理装置に具備されている表示装置では、メモリ性を有する表示材料（例えば、コレステリック液晶等）が用いられ、パッシブマトリクス駆動方式により当該表示材料を駆動して、文字等を表示する。つまり、このような表示装置では、表示材料に対して、コモン側及びセグメント側のドライバ回路から電極が一方向に延在して配置されて、各ドライバ回路から当該電極に画像の階調データに応じたパルスが入力されて、表示材料に電圧が印加される。電圧が印加されると、表示材料の状態が変化することで、表示材料の反射率が変化し、白色から黒色までの色変化を表現できる（例えば、特許文献１参照）。
【先行技術文献】
【特許文献】
【０００３】
【特許文献１】特開２００７−３０４５２７号公報
【発明の概要】
【発明が解決しようとする課題】
【０００４】
しかし、このような表示装置では、表示材料の位置によっては、各ドライバ回路から入力されたパルスに基づく電圧と等価の電圧が印加されない場合がある。
例えば、特許文献１の図５のような表示装置では、電極はコモン側及びセグメント側のドライバ回路から一方向に延在して配置されているために、パルスが入力されると、各ドライバ回路から遠くになるにしたがって、電圧降下が生じてしまう。つまり、電極が各ドライバ回路から離れると、表示材料に印加する電圧が実際に印加された電圧よりも低下してしまう。このような場合には、表示材料が表示する画像の明るさに斑が生じてしまうという問題点があった。
【０００５】
本発明は、このような点に鑑みてなされたものであり、表示領域における明るさの斑の発生を抑制する表示装置及び表示方法に関するものである。
【課題を解決するための手段】
【０００６】
上記課題を解決するために、パッシブマトリクス駆動方式の表示装置において、メモリ性の表示材料に対して複数の一対の電極が平面視で格子状を構成して対向配置した、画像を表示する表示素子と、前記画像の階調データに応じたパルスを前記複数の一対の電極に印加する際に、前記表示材料の反射率が均一になるように、前記階調データに応じたパルスのパルス幅を補正する駆動回路と、を有する表示装置が提供される。
【０００７】
また、上記課題を解決するために、上記表示装置における表示方法が提供される。
【発明の効果】
【０００８】
このような表示装置及び表示方法によれば、明るさの斑の発生が抑制されるようになる。
【図面の簡単な説明】
【０００９】
【図１】第１の実施の形態に係る表示装置の概要を説明するための図である。
【図２】表示された画像の明るさの斑を説明するための図である。
【図３】表示材料の特性を説明するための図である。
【図４】第１の実施の形態に係る表示装置の補正値を説明するための図である。
【図５】第２の実施の形態に係る情報処理端末のハードウェア構成例を示すブロック図である。
【図６】第２の実施の形態に係る情報処理端末が備える表示装置のハードウェア構成例を示すブロック図である。
【図７】第２の実施の形態に係る表示装置のドライバ回路に関する入力信号のタイミングチャートである。
【図８】第２の実施の形態に係る表示装置のドライバ回路の階調データに応じたパルスの補正及び出力信号のタイミングチャートである。
【発明を実施するための形態】
【００１０】
以下、図面を参照して実施の形態について説明する。
［第１の実施の形態］
第１の実施の形態の表示装置の概念について図１を用いて説明する。
【００１１】
図１は、第１の実施の形態に係る表示装置の概要を説明するための図である。
図１（Ａ）は表示装置１０の構成例を、図１（Ｂ）は表示装置１０が表示する画像の階調データに応じたパルス１２ｂを模式的に表している。また、図１（Ｃ）は当該パルス１２ｂを補正するための補正値データ１５ａを、図１（Ｄ）は階調データに応じたパルス１２ｂに補正値を合成して補正したパルス１１ａを、それぞれ模式的に表している。
【００１２】
表示装置１０は、パッシブマトリクス駆動方式であって、図１（Ａ）に示すように、表示素子１１と、駆動回路１２，１３、制御部１４、補正値情報保持部１５を備えている。
表示素子１１は、メモリ性の表示材料に対して複数の一対の電極１２ａ，１３ａが平面視で格子状を構成して対向配置しており、画像を表示する。
【００１３】
駆動回路１２，１３は、画像の階調データに応じたパルス１２ｂ（図１（Ｂ））を複数の一対の電極１２ａ，１３ａに印加する際に、表示材料の反射率が均一になるように、階調データに応じたパルス１２ｂのパルス幅を補正する。
【００１４】
制御部１４は、表示素子１１に表示させる画像の階調データを発生させて、当該階調データを駆動回路１２，１３に通知し、また、駆動回路１２，１３を制御する。また、補正値情報保持部１５が保持する補正値を駆動回路１２，１３に通知する。
【００１５】
補正値情報保持部１５は、階調データに応じたパルスのパルス幅を補正するための、例えば、図１（Ｃ）に示すような、補正値の情報を保持する。
次に、表示させる画像の階調データに応じたパルスのパルス幅を補正するための、補正値情報保持部１５が保持する補正値について説明する。
【００１６】
まず、画像の階調データに応じたパルスのパルス幅を補正しない場合について図２を用いて説明する。
図２は、表示された画像の明るさの斑を説明するための図である。
【００１７】
なお、図２（Ａ）は、明るさの斑が発生した表示素子１１を、図２（Ｂ）は明るさの斑が発生した表示素子１１にてランク付けした明るさをそれぞれ模式的に示している。また、図２（Ａ）の表示装置１０では、表示素子１１のみを示している。
【００１８】
表示装置１０において、画像の階調データに応じたパルスのパルス幅の補正を行わずに、印加したパルスに基づき表示材料に対して電圧を印加すると、例えば、図２（Ａ）に示すように、表示素子１１に、特に破線で囲んだ箇所に明るさの斑が発生する。この原因の１つとしては、既述の通り、電極１２ａ，１３ａの長さに伴う電圧降下によるものである。
【００１９】
そこで、このように明るさの斑が発生した表示素子１１の表示面を撮像装置２０で撮像し、撮像画像から画素毎に、明るさのランク付けを行う。
例えば、図２（Ｂ）に示すように、明るさを「０」〜「７」の８段階に分けて、明るさ毎に画素にそれぞれのランクを対応付ける。例えば、図２（Ｂ）中右下角部付近は最も暗く、「７」がランク付けられる。当該角部から、図２（Ｂ）中左上角部に近づくに連れて、ランクが下がっていく（つまり、明るくなっていく）。そして、図２中左上角部付近では最も明るく、「０」がランク付けられる。
【００２０】
ここで、表示材料の特性について図３を用いて説明する。
図３は、表示材料の特性を説明するための図である。
なお、図３では、表示材料の一例としてコレステリック液晶について、印加電圧、印加時間の変化に対する反射率をそれぞれ表している。また、Ｙ軸に反射率を対応付けている。Ｘ軸に、図３（Ａ）では印加電圧を、図３（Ｂ）及び図３（Ｃ）では印加時間をそれぞれ対応付けている。また、図３（Ｃ）では、図３（Ｂ）におけるごく短い範囲の印加時間に対する反射率を示している。
【００２１】
図３（Ａ）に示すように、印加時間が例えばＴｘ［ｍｓ］で、印加する電圧を増加していく。この場合において、反射率は、電圧が小さいうちは変化せずにほぼ一定を示す。これは、表示材料の初期状態は表示材料を構成する分子が印加方向に対して垂直に配列したプレーナ状態が維持されているために、光を多く反射することに起因する。なお、反射率が高い場合には、視覚的には明るくなる。
【００２２】
その後、反射率は、電圧を増加させると急激に低下して、低下後はほぼ一定を示す。これは、印加された電圧によって表示材料を構成する分子が印加方向に対して平行に配列して、プレーナ状態からフォーカルコニック状態への駆動帯域に遷移したことに起因する。表示材料を構成する分子がフォーカルコニック状態に遷移したために、光を反射せずに光を多く透過するようになり、反射率が低くなる。なお、反射率が低い場合には、表示材料を透過した光が表示材料に設けられた光吸収体により吸収されることから、視覚的には暗くなる。
【００２３】
さらに電圧の増加が続くと反射率は急激に上昇して、上昇後は再びほぼ初期に戻り一定を示す。即ち、フォーカルコニック状態から再びプレーナ状態への駆動帯域に遷移したことが考えられる。
【００２４】
次いで、表示材料に対して、電圧を印加する時間を変化させた場合には、図３（Ｂ）に示すように、電圧（例えば、図３（Ａ）に示すＶａ［Ｖ］）を印加する時間が長くなるに連れて、反射率は低下していく。これは、表示材料に対して印加された電圧のエネルギーが蓄積されていくことで、表示材料を構成する分子が時間の経過と共に印加電圧方向に対して少しずつ平行な状態に遷移していることに起因することが考えられる。
【００２５】
また、図３（Ｂ）に示した反射率は、電圧の印加時間が、図３（Ｃ）に示すように、例えば、時間Ｔｙ［ｍｓ］から時間Ｔｚ［ｍｓ］までが数ｍｓといったごく短い場合には、ほぼ線形に変化しているものとみなすことができる。
【００２６】
次に、図２でランク付けした画素の反射率について図４を用いて説明する。
図４は、第１の実施の形態に係る表示装置の補正値を説明するための図である。
ランク付けされた画素の反射率についてもごく短い印加時間に対して図３（Ｃ）と同様に表すことができる。
【００２７】
画像の階調データに応じたパルスのパルス幅（印加時間）が時間Ｔａ（図１（Ａ）参照）である場合には、図４に示すように、最も明るいランク「０」の画素は反射率Ｒ１であって、最も暗いランク「７」の画素は反射率Ｒ２である。また、時間Ｔａにおいて、反射率Ｒ１から反射率Ｒ２の間にランク「１」からランク「６」が等間隔に分布する。
【００２８】
ここで、ランク「７」の画素の反射率に着目する。
最も暗いランク「７」の画素の反射率Ｒ２が、所定の反射率、例えば、最も明るいランク「０」の画素と同じ反射率Ｒ１になるためには、印加時間が時間Ｔｂである必要がある。即ち、ランク「７」の画素は、電圧の印加時間が時間Ｔａからｔ７短くした時間Ｔｂであれば、反射率Ｒ１となる。
【００２９】
つまり、このｔ７がランク「７」の画素の補正値Δｔとなる。ランク「７」の画素は、印加時間が時間Ｔａから当該補正値に基づき時間Ｔｂにすることで、反射率Ｒ２が反射率Ｒ１となる。
【００３０】
同様に反射率が反射率Ｒ１となるための他のランクの画素の補正値は、例えば、ランク「１」は（Δｔ／７）×１、ランク「２」は（Δｔ／７）×２、ランク「３」は（Δｔ／７）×３、ランク「４」は（Δｔ／７）×４、ランク「５」は（Δｔ／７）×５、ランク「６」は（Δｔ／７）×６と表すことができる。
【００３１】
したがって、８段階に明るさをランク付けした場合の補正値は、（Δｔ／７）×ランク数ｎで表すことができる。補正値情報保持部１５は、このように、ランクごとに対応した補正値を保持している。
【００３２】
なお、第１の実施の形態では、明るさの斑が生じた表示素子１１において、最も暗いランクに対応する反射率を、最も明るいランクに対応する反射率になるように補正値を設定する場合について説明した。しかし、この場合は一例に過ぎず、明るさの斑の発生を抑制するために、各ランクに対応する反射率が全て均一になるような補正値を設定すればよい。例えば、図４に示すように、ランク「７」〜ランク「０」に対応する各反射率が、反射率Ｒ３となるような補正値を設定することも考えられる。
【００３３】
次に、このような構成を備える表示装置１０における表示方法について説明する。
制御部１４は、表示素子１１に表示させる画像の階調データを駆動回路１２，１３に通知すると共に、補正値情報保持部１５を参照して、階調データの各画素に対応付けたランクに対応する補正値を駆動回路１２に出力する。
【００３４】
駆動回路１２は、画像の階調データに応じたパルス１２ｂ及び駆動用電圧を電極１２ａに入力する。この際、表示材料の反射率が均一になるように、階調データに応じたパルス１２ｂのパルス幅を補正して、電極１２ａに入力するようにする。
【００３５】
例えば、画像においてランク「１」に対応する画素に対しては、画像の階調データに応じたパルス１２ｂを電極１２ａに入力する際に、表示材料の反射率が所定値（例えば、反射率Ｒ１）になるように、当該パルスのパルス幅Ｔａを、ランク「１」に対応する補正値ｔ１の補正値データ１５ａで合成して補正する。他のランクが対応付けられた階調データに応じたパルスのパルス幅についても、表示材料の反射率が所定値になるように、ランクに対応した補正値に基づき補正する。
【００３６】
階調データに応じた全てのパルスのパルス幅が補正された合成データに応じたパルス１１ａを電極１２ａに入力して、補正されたパルス幅で電圧が表示材料に印加される。すると、表示素子１１の表示材料は反射率が均一となり、明るさの斑の発生が抑制される。
【００３７】
このように、パッシブマトリクス駆動方式であって、メモリ性の表示材料に対して複数の電極１２ａ，１３ａが平面視で格子状を構成して対向配置した、画像を表示する表示素子１１を備える表示装置１０では、画像の階調データに応じたパルスを複数の一対の電極１２ａ，１３ａに印加する際に、表示材料の反射率が均一になるように、階調データに応じたパルスのパルス幅を補正するようにした。これにより、表示装置１０では、明るさの斑の発生が抑制されて、画像の見易さが向上する。
【００３８】
［第２の実施の形態］
第２の実施の形態では、第１の実施の形態の表示装置についてより具体的に説明する。なお、第２の実施の形態でも、第１の実施の形態で説明したランク「０」〜ランク「７」に対応する補正値を利用する場合を例に挙げて説明する。
【００３９】
まず、情報処理端末について図５を用いて説明する。
図５は、第２の実施の形態に係る情報処理端末のハードウェア構成例を示すブロック図である。なお、図５（Ａ）は情報処理装置１００の正面図を、図５（Ｂ）は情報処理装置１００に内蔵されているハードウェア構成例をそれぞれ表している。
【００４０】
情報処理装置１００は、図５（Ａ）に示されるように、例えば、携帯型の情報端末であって、表示ユニット１１０と、操作ユニット１２０とを備えている。
表示ユニット１１０は、情報処理装置１００の後述するＣＰＵ１００ａからの命令にしたがって画像を表示する表示装置２００と、当該表示装置２００にタッチパッド等の位置入力装置とが組み合わせられたものである。
【００４１】
操作ユニット１２０は、情報処理装置１００が備える所定の機能がそれぞれ対応付けられており、操作ユニット１２０に対する操作入力に応じて情報処理装置１００に当該機能の処理を実行させることができる。
【００４２】
さらに、情報処理装置１００には、図５（Ｂ）に示されるように、ＣＰＵ１００ａと、メモリ部１００ｂ、外部接続部１００ｃ、グラフィック処理部１００ｄ、入力インタフェース１００ｅが互いにバス１００ｆで接続されて内蔵されている。
【００４３】
ＣＰＵ１００ａは、メモリ部１００ｂの記憶媒体に記憶された各種プログラムを実行することにより、この情報処理装置１００全体を統括的に制御する。
メモリ部１００ｂは、例えば、フラッシュメモリ、ＲＡＭ（Random Access Memory）等から構成されており、ＣＰＵ１００ａで実行される各種プログラム、ＣＰＵ１００ａでの処理結果等を保持する。また、ＣＰＵ１００ａによる処理により生成された画像情報が保持され、当該画像情報はＣＰＵ１００ａの処理に応じて更新される。
【００４４】
外部接続部１００ｃは、情報処理装置１００の側部に形成された図示しないカードスロットに挿入されるＳＤメモリカード等の外部記憶媒体に対して、ＣＰＵ１００ａの要求に応じて、データの書き込み、読み取りを行う。
【００４５】
グラフィック処理部１００ｄには、表示手段である、図５（Ａ）の表示ユニット１１０の表示装置２００が接続されている。このグラフィック処理部１００ｄは、ＣＰＵ１００ａからの命令にしたがって、表示ユニット１１０の表示装置２００に画像を表示させる。
【００４６】
入力インタフェース１００ｅには、図５（Ａ）の操作ユニット１２０及び表示ユニット１１０の位置入力装置が接続されている。入力インタフェース１００ｅは、操作ユニット１２０及び表示ユニット１１０の位置入力装置からの信号を、バス１００ｆを介してＣＰＵ１００ａに送信する。
【００４７】
なお、図５（Ｂ）に示すようなハードウェア構成をデスクトップ型、ノート型のいわゆるパーソナルコンピュータ、携帯電話、ＰＤＡ（Personal Digital Assistant）、電子書籍、電子ペーパ等にも適用することができる。
【００４８】
次に、表示装置２００について図６を用いて説明する。
図６は、第２の実施の形態に係る情報処理端末が備える表示装置のハードウェア構成例を示すブロック図である。
【００４９】
また、図７は、第２の実施の形態に係る表示装置のドライバ回路に関する入力信号のタイミングチャートである。
表示装置２００は、パッシブマトリクス駆動方式であって、図６に示すように、表示素子２１０と、階調データ転送クロック生成回路２２０、補正値データ転送クロック生成回路２３０、フラッシュＲＯＭ２４０、電源２５０を備えている。さらに、表示素子２１０に接続されたドライバ回路２６０，２７０を備えている。
【００５０】
表示素子２１０は、コレステリック液晶パネルが用いられた表示素子である。表示素子２１０は、例えば、Ａ４判ＸＧＡ仕様で、１０２４×７６８画素を有する。また、コレステリック液晶パネルに対して、後述するセグメント側のドライバ回路２６０と接続されている７６８本のデータ電極２６０ａと、コモン側のドライバ回路２７０と接続されている１０２４本のスキャン電極２７０ａとを平面視で格子状を構成するように備えている。なお、図６では、データ電極２６０ａ及びスキャン電極２７０ａの詳細の記載については省略している。
【００５１】
また、表示素子２１０は、後述するドライバ回路２６０，２７０から入力されたパルスに応じて、データ電極２６０ａ及びスキャン電極２７０ａから印加された電圧の差により、コレステリック液晶パネルが駆動して画像を表示する。
【００５２】
階調データ転送クロック生成回路２２０は、グラフィック処理部１００ｄからの表示要求に基づき、基準クロック、表示対象の画像の階調データ、ラッチ、交流化信号ＦＲに基づいて制御信号を生成して、ドライバ回路２６０に供給する。さらに、ラッチ、交流化信号ＦＲに基づいて制御信号を生成して、ドライバ回路２７０に供給する。また、階調データ転送クロック生成回路２２０は、補正値データ転送クロック生成回路２３０に対して、補正値データ等の供給要求を通知する。
【００５３】
補正値データ転送クロック生成回路２３０は、階調データ転送クロック生成回路２２０からの供給要求に基づき、階調データ用の基準クロックと、後述するフラッシュＲＯＭ２４０を参照して、階調データに応じたパルスのパルス幅を補正するための補正値データ、補正値データ用の基準クロック（図示を省略）に基づいて信号を生成し、ドライバ回路２７０に供給する。
【００５４】
フラッシュＲＯＭ２４０（補正値情報保持部）は、階調データに応じたパルスのパルス幅を補正するための補正値の補正値データをランク毎に予め保持する。なお、フラッシュＲＯＭ２４０には、補正を行う前の表示素子２１０の表示領域について、第１の実施の形態と同様に、撮像した画像から画素毎に明るさを８段階に分けて、ランク付けされた画素の反射率が、ランク「０」に対応する反射率になるような補正値が保持されている。
【００５５】
電源２５０は、階調データ転送クロック生成回路２２０からの要求に基づき、例えば±２４Ｖの電圧をドライバ回路２６０，２７０にそれぞれ入力する。
このような基準クロックと、階調データ、補正値データ、ラッチ、ＦＲ、電圧は、例えば、図７に示されるタイミングでドライバ回路２６０，２７０に供給される。なお、図７では、階調データは、セグメント側におけるｎ行の画素数分に対応する。また、補正値データは、当該階調データのタイミングで入力される。
【００５６】
図６の説明に戻る。
ドライバ回路２６０は、セグメント側であって、表示素子２１０のデータ電極２６０ａと接続されている。また、階調データに応じたパルスのパルス幅を、補正値データで合成して補正する。基準クロック、ラッチ及び交流化信号ＦＲ、階調用の基準クロックに同期して、補正した合成データに応じたパルスをデータ電極２６０ａにそれぞれ入力する。
【００５７】
ドライバ回路２７０は、コモン側であって、表示素子２１０のスキャン電極２７０ａと接続されており、ラッチ及び交流化信号ＦＲに同期して、各スキャン電極２７０ａにパルスを入力する。
【００５８】
次に、このようにして信号が入力されたドライバ回路２６０での演算及び出力について図８を用いて説明する。
図８は、第２の実施の形態に係る表示装置のドライバ回路の階調データに応じたパルスの補正及び出力信号のタイミングチャートである。
【００５９】
なお、図８（Ａ）は、セグメント側のドライバ回路２６０が入力されたデータに基づいた補正について、図８（Ｂ）は、ドライバ回路２６０，２７０から出力されるパルスのタイミングチャートについてそれぞれ示している。また、図８では、表示素子２１０のｍ行・ｎ列目の画素に対してパルスを入力する場合を例示している。
【００６０】
まず、セグメント側のドライバ回路２６０内での画像の階調データに応じたパルスのパルス幅の補正について説明する。
ドライバ回路２６０には、階調データ転送クロック生成回路２２０から、図８（Ａ）に示されるように、画像の階調データ用の基準クロックに同期して、ｎ列に対応するパルス幅Ｆの当該階調データに応じたパルスが入力される。当該階調データの画像の画素にランク「２」が対応付けられている場合には、補正値データ転送クロック生成回路２３０から、補正値データ用の基準クロックに同期して、補正値２の補正値データに応じたパルスが入力される。このようなパルスが入力されたドライバ回路２６０は、階調データに応じたパルスのパルス幅Ｆから補正値データの補正値２を引いて補正した、合成データのパルスを生成する。
【００６１】
このようにして、全ての列について、階調データに応じたパルスのパルス幅が、それぞれ対応付けられたランクに応じて補正されて、合成データが生成される。
次いで、コモン側のドライバ回路２７０及びセグメント側のドライバ回路２６０から出力されて、スキャン電極２７０ａ及びデータ電極２６０ａに入力されるパルス（電圧）について説明する。
【００６２】
コモン側のドライバ回路２７０は、図８（Ｂ）に示されるように、ラッチ及びＦＲに同期して、駆動用の電圧に基づき±２４Ｖを交互にｍ行目のスキャン電極２７０ａに印加する。
【００６３】
これに対して、セグメント側のドライバ回路２６０は、合成データのパルスをｎ列目のデータ電極２６０ａに印加する。
したがって、表示素子２１０のｍ行・ｎ列目の表示材料には、ｍ行目のスキャン電極２７０ａに印加された電圧と、ｎ列目のデータ電極２６０ａに印加された電圧との差が印加される。この際、ｎ列目のデータ電極２６０ａに印加される電圧の印加時間（パルス幅）は、元の階調データに応じたパルスのパルス幅よりも短く補正されているために、ｍ行・ｎ列目の画素の反射率がランク「０」に対応する反射率となり、当該画素での明るさが向上する。
【００６４】
他の表示材料に対しても同様に階調データに応じたパルスのパルス幅の補正を行うために、スキャン電極２７０ａに印加された電圧と、データ電極２６０ａに印加された電圧との差が印加される画素の反射率がランク「０」に対応する反射率となる。
【００６５】
このように、パッシブマトリクス駆動方式であって、コレステリック液晶パネルに対してデータ電極２６０ａ及びスキャン電極２７０ａが平面視で格子状を構成して対向配置した、画像を表示する表示素子２１０を備える表示装置２００では、画像の階調データに応じたパルスを複数のデータ電極２６０ａ及びスキャン電極２７０ａに印加する際に、表示材料の反射率が均一になるように、階調データに応じたパルスのパルス幅を補正するようにした。これにより、表示装置２００では、明るさの斑の発生が抑制されて、画像の見易さが向上する。
【符号の説明】
【００６６】
１０  表示装置
１１  表示素子
１１ａ，１２ｂ  パルス
１２，１３  駆動回路
１２ａ，１３ａ  電極
１４  制御部
１５  補正値情報保持部
１５ａ  補正値データ
【図１】
2013231851.tif 000003
【図２】
2013231851.tif 000004
【図３】
2013231851.tif 000005
【図４】
2013231851.tif 000006
【図５】
2013231851.tif 000007
【図６】
2013231851.tif 000008
【図７】
2013231851.tif 000009
【図８】
2013231851.tif 000010